Podtech/llm-jp-corpus-v4-ja_patent huggingface dataset:
(57)【要約】      （修正有）【課題】手・指先・目の不自由な身障者及び高齢者等が容易に、着用することができる衣服を提供する。【解決手段】衣服の合わせ部分（左右の前立部分）に連続した面ファスナーを使用し、上部１箇所は色違いとして飾りボタン（ビーズ付）及び一方の前立部裏に直径５ｍｍのビーズをとりつける。【選択図】図２
0003157089.tif 000002
【実用新案登録請求の範囲】
【請求項１】
衣服本体を形成する前立部５、６の位置に連続した面ファスナー７、８を縫い合せすると共に、前立部５、６あるいは面ファスナー７、８の任意の場所に突起物あるいは色違い部分を設けた事を特徴とする衣服。
【考案の詳細な説明】
【技術分野】
【０００１】
本考案は、高齢者及び手・指・目等が不自由な人が、着用するのに適した衣服である。
【背景技術】
【０００２】
従来からある衣服は、手・指先・目の不自由な身障者及び高齢者等が着用する時に通常のボタン、ファスナー等でボタンホールに、ボタンを掛ける事が困難でありどうしても掛け違い・掛け忘れ及び数箇所のボタン掛けが必要なため、大変困難を来たしている。
又現在面メンファスナーを使用した衣服も流通しているが、いずれもボタン及びボタンホールの代わりで、 ボタンホールへの係止めは無いが一対毎に面ファスナーで、脱着する方式である。
【先行技術文献】
【特許文献】
【０００３】
【特許文献１】登録実用新案第３１２８２３５号
【特許文献２】登録実用新案第３０４０３８３号
【考案の概要】
【考案が解決しようとする課題】
【０００４】
従来からあるボタン及び面ファスナーを使用した衣服には、次に述べるような問題点がありボタンとボタンホールの掛け合わせが困難、又一対の点と点との合せなので何箇所もボタン掛けをしなければならない点、一対毎の合わせのため一箇所間違えると次のボタンの掛け合わせも間違ってしまう問題点等があり、以上の問題点を解消し、手・指先・目の不自由な身障者及び高齢者等の人たちが、容易に着用出来るようにした。
【課題を解決するための手段】
【０００５】
本考案は、以上の問題点を解消するために、衣服の合わせ部分( 左右の前立部分)に連続した面ファスナーを使用し、上部１箇所は色違いとして飾りボタン(ビーズ付)及び一方の前立部裏に直径５ｍｍのビーズをとりつけて、手・指先は勿論の事目の不自由な人にも簡単に合わせ箇所の確認が出来る事により、この合わせ位置から下へ押さえなぞる一連の動作で、ボタンの掛け忘れ掛け違いを無くし、容易に着用出来、第三者からの着せ替え作業もより簡単に出来る特徴がある。
【考案の効果】
【０００６】
衣服本体を形成する前立部５、６の位置に連続した面ファスナー７、８を縫い合せすると共に任意の場所に突起物あるいは色違い部分を設けた事を特徴とする衣服である。
【図面の簡単な説明】
【０００７】
【図１】本考案の衣服着用時の正面図である。(以下男子用を例とする)
【図２】色合わせ部分の拡大図である。
【図３】色合わせ部分(ビーズ付)の側面図である。
【考案を実施するための形態】
【０００８】
本考案は、従来からのボタン及び面ファスナーを使用した衣服の問題点を(ボタンとボタンホールの掛け合わせ又一対の点と点との合せなので、何箇所もボタン掛けの必要性及び掛け違いを又一箇所の掛け違いが他のボタンの掛け違いにつながる)解消し、手・指先・目の不自由な身障者及び高齢者等の人たちが、容易に着用出来るようにした。
以下、本考案に係る衣服の着用例を図１から図３に基づき説明する、図の１は左側前身頃、２は右側前身頃、３はビーズ付飾りボタン、４は飾りボタン、５は左前立、６は右前立、７は左前立裏側色違い部分を含む、８は右前立表側色違い部分に直径３ｍｍのビーズである。衣服の左側前身頃１の左前立部表側５に飾りボタン４を取付けて、上段のビーズ付飾りボタン3はボタンの上に直径３ｍｍのビーズを取付けてある、この飾りボタン及びビーズ付ボタン取付けた裏側、左前立５の裏側に連続した面ファスナー７を取付ける。この面ファスナーの一部上段は（３ｍｍのビーズ付飾りボタン３の裏側に当たる位置）赤色とし、この面ファスナー７に対応する相手側面ファスナー８を右前身頃２の右前立表側に取付け、面ファスナー７と同じく上部は赤色で裏に３ｍｍのビーズを取付けた。
着用時は右側前身頃２の右前立６の表側に取付けた面ファスナー８の上部の赤色部分に、左側前身頃１の左前立て５の表側に取付けた飾りボタンのうちの上部ビーズ付飾りボタン３を上に合わせ押さえ、６と５を重ねた状態で上からなぞることにより、面ファスナー８と面ファスナー７で固定され、ボタンの掛け忘れ、掛け違いをなくし容易に着用でき、第三者からの着せ替え作業もより簡単に出来る特徴がある。
又この衣服は、飾りボタンを使用することにより、面ファスナー使用の衣服とは他の人が見ても分からなく、通常の衣服と何ら代わらないデザインの特徴もある。
今回の面ファスナー赤色部分及び黒色部分の色は、衣服の色に合わせたり個人の自由な組み合わせが可能である。
要約すると着用時の合わせ方として、以下のような組み合わせが可能である。
（１）ビーズとビーズの突起物同士の合わせ方
（２）同色部分の色による合わせ方
（３）ビーズと色による合わせ方
（４）ビーズとビーズの合わせ方と同色部分の色と色による合わせ方の併用
以上のように、視覚による確認と触角による確認により、一箇所毎の掛け合わせの面倒を解消し、更には一箇所の間違いにより次の合わせも間違えるといった現象が解消される。
尚、今回の衣服についての図及び説明は男子の例であり女子についてはこの限りでない。
又突起物等はビーズに限ったものでなく、位置等は限定するものでなく任意の場所でよく、
一箇所に限られた事でも無い。左前立５と右前立６を正しい位置合わせるための位置合わせとして認識できるように突起物や色違い部分を取り付けるようにすればよい。
【符号の説明】
【０００９】
１  左側前身頃
２  右側前身頃
３  ビーズ付き飾りボタン
４  飾りボタン
５  左前立
６  右前立
７  左前立裏側部分に縫い付けた面ファスナー
８  右前立表側部分に縫い付けた面ファスナー
【図１】
0003157089.tif 000003
【図２】
0003157089.tif 000004
【図３】
0003157089.tif 000005
(57)【要約】      （修正有）【課題】敷地面積が狭いわりに多数の骨壷を収納することが可能で、墓地の有効利用を果たし、墓地不足を解決する納骨堂を提供する。【解決手段】地中に施工された基礎１の上に固定された本体４の中空の胴部内は、床板１８で地上部分のカロートと地下部分のカロートで分け、地上部分のカロートには、骨壷を収納するための棚１７が設けられ、かつ、前記胴部とも固定関係にある。また、前記胴部の床板１８には、地下部分のカロートに骨壷を出し入れするための出し入れ口を設け、扉１８を設置し、本体の背面には人が出入りするための出入り口８を設置する。【選択図】図２
0003157099.tif 000002
【実用新案登録請求の範囲】
【請求項１】
地中に施工された基礎の上に固定された本体の中空の胴部内は、床
板で地上部分のカロートと地下部分のカロートで分けられ、地上部分
のカロートには、骨壷を収納するための棚が設けられ、かつ、前記胴
部とも固定関係にあり、また、前記胴部の床には、地下部分のカロー
トに骨壷を出し入れするための出し入れ口があり、扉が設置されてお
り、本体の背面には人が出入りするための出入り口が設置されている
納骨堂。
（１）
【考案の詳細な説明】
【技術分野】
【０００１】
本考案は、地上及び地下に納骨室であるカロートを設けた納骨堂に
関するものである。
【背景技術】
【０００２】
通常、納骨を行うためには、墓の地下に設置したカロートに骨壷を
収めていた。
【考案の概要】
【考案が解決しようとする課題】
【０００３】
年々、高齢化の問題により死後の墓地の確保が困難となってきてい
る。また、新しく墓地の建立をしたり、現状の墓地の面積を拡大する
ことも、狭い国土においては限界がある。そこで、土地の有効利用を
図るため、限られた敷地面積において大容量化し、地上及び地下に
カロートを設け、多数の骨壷を収めることが可能な納骨堂を提供する
ことを課題とするものである。
【課題を解決するための手段】
【０００４】
本考案は、上記課題を解決するために、以下のような手段を講じて
いる。
【０００５】
地中に施工された基礎の上に固定された本体の中空の胴部内は、床
板で地上部分のカロートと地下部分のカロートで分けられ、地上部分
のカロートには、骨壷を収納するための棚が設けられ、かつ、前記胴
部とも固定関係にあり、また、前記胴部の床には、地下部分のカロー
トに骨壷を出し入れするための出し入れ口があり、扉が設置されてお
り、本体の背面には人が出入りするための出入り口が設置されている。
【考案の効果】
【０００６】
本考案において地上部分と地下部分にカロートを備えた納骨堂は、
敷地面積が狭いわりに多数の骨壷を収納することができる。
【図面の簡単な説明】
【０００７】
【図１】本考案の納骨堂の正面図である。
【図２】図１におけるＢ−Ｂ部分に対応する箇所の断面説明図。
【図３】本考案の納骨堂の背面図である。
【図４】本考案の納骨堂の左側面図である。
【図５】図１におけるＡ−Ａ部分に対応する箇所の断面説明図。
【図６】本考案の納骨堂の屋根伏せ図である。
【図７】本考案の納骨堂の基礎伏せ図である。
【図８】本考案の納骨堂の鉄骨図である。
【考案を実施するための形態】
【０００８】
以下、本考案を、図１から図８の図面に基づいて詳細に説明する。
【０００９】
図中１は、基礎１で、地面ＧＬを掘り、割石２を敷き詰めて、その
上に地面ＧＬとほぼ同一面となるようにコンクリート３を打設して
外形が平面視で六角形状である。
【００１０】
胴部４は、基礎１に固定される下部の裳台５と、上部の鉄骨柱６、外
壁７、扉８が組み付けられて構成されている。裳台５は、図５に示さ
れるように、ここでは石貼りされて平面視八角形を呈している。
基礎１の上には、六本の鉄骨柱６が各角に建てられ、各鉄骨柱６間を
外壁７で囲んでいる。
【００１１】
外壁７は６面で構成されており、図１に示す正面の一枚には、仏像の
モニュメントを設置したり、またはお経の題目等が表示されたりする。
【００１２】
図４に示す背面側には、基礎１の上に建つ鉄骨柱６間に扉枠９が形成
され、そこに扉８が開閉自在に取り付けられている。外壁７及び扉８
には、納骨室に設けられる換気口として、換気口１０が設けられ、
納骨室の換気をしている。また、扉８には図示省略の鍵が設けられて
いる。この扉８の開閉、中の骨壷の出し入れに楽なように裳台５に踏
み台１１が設けられている。
【００１３】
このようにして作られた胴部４は、上方に開放した中空に形成されて
おり、頭部１２を上部に載せることにより、納骨室を形成している。
頭部１２は、胴部４の開放端を直接塞ぐ屋根部１３と屋根部１３の上
に突出する尖塔部１４から構成されている。
【００１４】
屋根部１３は、外形が平面視で八角形であり、頂点を中心に四面が
円形に反った構造の傾斜面を有する。 屋根部１３の頂点には、尖塔
部１４が垂直に設けられている。
【００１５】
屋根部１３と尖塔部１４の構成部品は、耐久性、軽量化の観点等から
ガラスファイバー強化合成樹脂が用いられている。
【００１６】
鉄骨柱６にボルトにより固定された載骨架台１５は、胴部４内に納ま
り、鉄骨柱６はボルトにより基礎１に固定される。
また、棚１６には、一番上の棚を除いて図２に示す棚板１７がおかれ
る。
【００１７】
胴部４の上に外壁７と固定した屋根部１３が設置される。
【００１８】
胴部４の内部には、骨壺を載置する複数段の棚１６が平面視でコ字状
に設けられている。
【００１９】
胴部４の内部の棚１６には、遺骨を入れた骨壺（図示省略）が適宜収
納される。
【００２０】
胴部４の内部には、基礎１に固定された床板１８が設置され、地上部
分と地下部分に分けられる。また、床板１８には四角形の貫通された
開口部を設け、地下部分への出し入れ口があり、ハッチ扉１９が設置
される。
【００２１】
納骨堂の出入口である扉８は、施錠されるので関係者以外開けること
ができない。
【符号の説明】
【００２２】
ＧＬ  地面
１  基礎  
２  割石
３  コンクリート
４  胴部
５  裳台
６  鉄骨柱
７  外壁
８  扉
９  扉枠
１０  換気口  
１１  踏み台
１２  頭部
１３  屋根部
１４  尖塔部
１５  載骨架台
１６  棚
１７  棚板
１８  床板
１９  ハッチ扉
【図１】
0003157099.tif 000003
【図２】
0003157099.tif 000004
【図３】
0003157099.tif 000005
【図４】
0003157099.tif 000006
【図５】
0003157099.tif 000007
【図６】
0003157099.tif 000008
【図７】
0003157099.tif 000009
【図８】
0003157099.tif 000010
(57)【要約】      （修正有）【課題】街路樹や公園などに植えられた樹木の落ち葉の散逸を防ぎ効率的に落ち葉を収集できる落ち葉収集装置を提供する。【解決手段】  樹木の上方の枝葉部分１２を上部被覆体２２で覆い、樹木の下方を下部被覆体２４で覆うと共に、前記上部被覆体２２の下端縁と下部被覆体２４の外周縁を連結手段２３で着脱自在に連結し、かつ前記下部被覆体２４の内周縁を樹木の幹１１に固定し、前記枝葉部分１２から落下する落ち葉を下部被覆体２４で収集する様にして落ち葉収集装置を構成する。【選択図】図２
0003157004.tif 000002
【実用新案登録請求の範囲】
【請求項１】
樹木の枝葉部分を上部被覆体で覆い、下方を下部被覆体で覆うと共に、
前記上部被覆体の下端縁と下部被覆体の外周縁を連結手段で着脱自在に連結し、かつ前記下部被覆体の内周縁を樹木に固定し、前記枝葉部分から落下する落ち葉を下部被覆体で収集する落ち葉収集装置。
【考案の詳細な説明】
【技術分野】
【０００１】
本考案は、街路樹や公園などの樹木の落ち葉を効率的に収集する落ち葉収集装置に関するものである。
【背景技術】
【０００２】
道路や公園等には、自然に自生する樹木や、景観の向上や地球環境の保護のために樹木が植えられている。このような樹木は落葉するものが多いため定期的に落ち葉の収集作業を行う必要がある。
そのため、特許文献１に記載された発明が提案されている。この発明は、多数の開口部を有するフェンス本体を、樹木を取り囲むように樹木の周囲の地面に設置し、フェンス本体の内側に落ち葉を溜めるようにしたことを特徴とする落ち葉囲いフェンスである。
【先行技術文献】
【特許文献】
【０００３】
【特許文献１】特開２００８−２９５３１９号公報前記特許文献１記載の発明によれば、安価且つ簡易な施工で設置でき、落ち葉を焼却処分することなく樹木の養分として再利用することができるという効果を有する。
【考案の概要】
【考案が解決しようとする課題】
【０００４】
しかしながら前記発明によれば、フェンス本体を樹木を取り囲むように樹木の周囲の地面に設置し、フェンス本体の内側に落ち葉を溜めるようにしているため、フェンスの外側に落ちた落ち葉は回収できず、特に冬場は風が強く落ち葉が散逸するという問題点があった。
【０００５】
本考案は、上記のような問題点を解決するために考案されたもので、樹木の枝葉部分全体を被覆体で覆い、落ち葉の散逸を防ぎ効率的に落ち葉を収集できる落ち葉収集装置を提供することを目的とする。
【課題を解決するための手段】
【０００６】
本考案の要旨とするところは、樹木の上方の枝葉部分を上部被覆体で覆い、樹木の下方を下部被覆体で覆うと共に、前記上部被覆体の下端縁と下部被覆体の外周縁を連結手段で着脱自在に連結し、かつ前記下部被覆体の内周縁を樹木の幹に固定し、前記枝葉部分から落下する落ち葉を下部被覆体で収集する落ち葉収集装置である。
【考案の効果】
【０００７】
本考案の落ち葉収集装置によれば、構成が簡単で樹木への取り付け取り外しも簡易迅速に行える上に、あらゆる形状あらゆる場所の樹木に対応でき、自然と落ち葉を収集できるため、落ち葉の周囲への散逸を防ぎ環境の美化に貢献できる等の効果を奏する。
【図面の簡単な説明】
【０００８】
【図１】本考案の実施例１の取り付け順序を示す説明図
【図２】本考案の実施例１の取り付け順序を示す説明図
【図３】本考案の実施例１の使用状態を示す説明図
【図４】本考案の実施例１の下部シートの平面図
【考案を実施するための形態】
【０００９】
本考案の落ち葉収集装置は、樹木の枝葉部分全体をネットとシートを用いて覆い、幹の下方に前記シートを固定してなり、このシートで枝葉部分から落下する落ち葉を収集するものである。
【実施例１】
【００１０】
本考案の実施例１は図１ないし図４に示すもので、樹木の枝葉部分１２全体を上部被覆体であるネット２２で覆い、幹１１の下部に下部被覆体であるシート２４を固定手段２６で固定した構成である。
【００１１】
本実施例を樹木に取り付ける順序を説明する。
まず図１において、クレーン２１でネット２２を吊り下げ、樹木の上方から樹木の枝葉部分１２の表面に沿ってネット２２を降ろしていき、枝葉部分１２の表面全体をネット２２で覆う。
【００１２】
次いで、図２に示すように、ネット２２の下端のファスナ２３をシート２４の外周縁のファスナ２３と着脱自在に連結して、枝葉全体をネット２２とシート２４で覆う。
【００１３】
前記ネット２２は風を通すが落ち葉が通らない程度の大きさのネットである。このネット２２に色彩を施せば、街路樹の雰囲気を変えることができ周囲の環境に良い影響を与える。
【００１４】
一方、樹木の幹１１には落下してくる落ち葉を受け取るためのシート２４を固定する。
このシート２４は、ネット状ではなく落ち葉が外部にこぼれないような布製が好ましい。
このシート２４は、図４に示すようにリング状であり、内周縁に設けた固定手段２６で幹１１の周囲に固定する。この固定手段２６は、ベルト式の締結具など公知のものを使用する。
【００１５】
また、このシート２４は外周縁に、前記ネット２２の下端のファスナ２３に対応するファスナ２３を設けてある。図中符号２９は、シート２４に収集した落ち葉を取り出すために設けたファスナである。
【００１６】
上記のように構成した本実施例の作用を説明する。
図３に示すように、ネット２２とシート２４で枝葉部分１２を含んで樹木の表面全体を覆った後、適当な期間放置する。
このように放置することで、矢印で示すようにネット２２を通して入ってくる自然の風によって落ち葉が落下してシート２４で収集される。また必要に応じてネット２２の外方より強制的に送風することもできる。
【００１７】
その後、上記と逆の順序でネット２２とシート２４を外す。その後、シート２４を幹１１から外せば、シート２４内の落ち葉を容易に回収できるのである。
【００１８】
このように本実施例によれば、樹木に対してネット２２やシート２４の取り付け、取り外しが容易に行え、効率の良い樹木の落ち葉対策が行える。また、ネット２２によって落ち葉が周囲に散逸することを防ぐことができる。
【符号の説明】
【００１９】
１１  幹
１２  枝葉部分
２１  クレーン
２２  上部被覆体（ネット）
２３  連結手段（ファスナ）
２４  下部被覆体（シート）
２９  ファスナ
【図１】
0003157004.tif 000003
【図２】
0003157004.tif 000004
【図３】
0003157004.tif 000005
【図４】
0003157004.tif 000006
(57)【要約】      （修正有）【課題】加工費、材料費の節約ができ、長時間の使用にも足の負担が軽減されるアンダーソックス及びストッキングを提供する。【解決手段】アンダーソックスとストッキングを併用するスポーツに於いて、アンダーソックスの外周面又はストッキングの内周面のいずれか一方の上端に面ファスナーのフック片を複数箇所取り付けたことを特徴とする。【選択図】図１
0003157061.tif 000002
【実用新案登録請求の範囲】
【請求項１】
アンダーソックスとストッキングを併用するスポーツに於いて、アンダーソックスの外周面又はストッキングの内周面のいずれか一方の上端に面ファスナーのフック片を複数箇所取り付けたことを特徴とする、脱着自由なアンダーソックス及びストッキング。
【考案の詳細な説明】
【技術分野】
【０００１】
本考案は、野球、ソフトボール及びホッケー等スポーツの危険防止の為にアンダー
ソックスとストッキング併用する場合にアンダーソックスの丈を通常より短くし、アンダーソックスの上端に面ファスナーのフック片を５か所取り付けアンダーソックスとストッキングを一体化して使用するアンダーソックスに関するものである。
面ファスナーと靴下を使用した届けが提出されていますが、本件とはまつたくちがつたものです。
【背景技術】
【０００２】
従来のアンダーソックスは膝下の締め付けから血行障害が起きて湿疹等ができ、足の健康を害している。
【先行技術文献】
【特許文献】
【０００３】
【特許文献１】特開２００９−０９７１３０号の公報
【特許文献２】特開２０００−２２０００３号の公報
【特許文献３】特開２００２−０８８５１３号の公報
【特許文献４】実用新案登録第３１２８４８４号の公報
【特許文献５】実用新案登録第３０２３５３８号の公報
【考案の概要】
【考案が解決しようとする課題】
【０００４】
野球、ソフトボール及びホッケー等に使用される、従来のアンダーソックスとストッキングは膝下で両方のゴムの部分が重なり、強く締め付ける事により長時間使用すると
血行が悪くなり、湿疹、痒みをもたらし足の健康を害する。
【課題を解決するための手段】
【０００５】
本考案は、アンダーソックスとストッキングを併用するスポーツに於いて、アンダーソックスの外周面又はストッキングの内周面のいずれか一方の上端に面ファスナーのフック片を複数箇所取り付けたことを特徴とする、脱着自由なアンダーソックス及びストッキングである。
本考案は、アンダーソックスとストッキングを併用するスポーツに於いて、アンダーソックスの外周面又はストッキングの内周面のいずれか一方の上端に面ファスナーのフック片を複数箇所取り付けたことを特徴とし、アンダーソックス及びストッキングの材料は、ニット等の布材料であり、面ファスナーのフック片が係止できる布地とすることでストッキングとアンダーソックスはそれぞれの上端において係止される。
【考案の効果】
【０００６】
上述の様にアンダーソックスを短くする事により加工費、材料費の節約ができ、締め付けが解消される為、長時間の使用にも足の負担は軽減されます。
【図面の簡単な説明】
【０００７】
【図１】本考案のアンダーソックスを示す図面である。
【図２】本考案のアンダーソックスとストッキングを体に着けた状態の実施例を示す図である。
【図３】従来のアンダーソックスとストッキングを示す図である。
【図４】従来のアンダーソックスとストッキングを着けた状態を示す図である。
【考案を実施するための形態】
【０００８】
アンダーソックスの表の上端に面ファスナーのフック片１ｃｍ×２ｃｍのものを５か所、縦長に接着させて止めます。従来のアンダーソックスを穿いて、ストッキングを穿き面ファスナーの所を軽く押さえます。アンダーソックスとストッキングは一体化します、ズレさがり、ねじれは起きません。
【実施例】
【０００９】
以下、添付図面に従ってー実施例を説明する。図１は本考案のアンダーソックスです。短くしたアンダーソックス１の上端にゴム編み込み２として弱いゴムを４〜５回程編み込んで必要以上に広がらない様にします。面ファスナーのフック片３はアンダーソックス１とストッキングを一体化するためのものでアンダーソックスの外周面の上端複数箇所設けた。                                                        
図２の本考案のアンダーソックス１とストッキングを係止した本考案４を足に着けた状態を示す実施例です。
【００１０】
図３の５は従来からのアンダーソックスで  ６は従来からのストッキングである。
図４は従来のアンダーソックスとストッキングを使用する実施例を図４（１）及び図4（２）の2点示す。７はアンダーソックスとストッキングのゴムの部分を折り重ねて曲げてズレさがりとねじれを防止している場面です。  ８はズレ防止のソックス止めをしている場面です。
【００１１】
本考案の実施例は上述の構成からなるものであるから従来のものより足の健康によく、なお且つ経済的である。
【符号の説明】
【００１２】
１  本考案のアンダーソックス
２  ゴムの編み込み
３  面ファスナーのフック片
４  本考案のアンダーソックスとストッキング
５  従来のアンダーソックス
６  従来のストッキング
７  従来のアンダーソックスと従来のストッキングを足に履いた状態
８  従来のものにソックス止めをして足に履いた状態
【図１】
0003157061.tif 000003
【図２】
0003157061.tif 000004
【図３】
0003157061.tif 000005
【図４】
0003157061.tif 000006
(57)【要約】【課題】本考案は、スチールシャフトに外観デザイン性及び防錆性を考慮した電着塗装が行われたゴルフクラブ用スチールシャフトを提供する。【解決手段】本考案のゴルフクラブ用スチールシャフトは、中空縮径のスチールパイプ本体１の表面に形成したニッケルメッキ被膜層４と、該ニッケルメッキ被膜層４の表面に形成したクロムメッキ被膜層５と、該クロムメッキ被膜層５の表面に形成したカラーアニオン電着塗膜層６とからなる積層構造とした。前記カラーアニオン電着塗膜層６を１０ミクロン以下とした。【選択図】図４
0003157018.tif 000002
【実用新案登録請求の範囲】
【請求項１】
中空縮径のスチールパイプ本体の表面に形成したニッケルメッキ被膜層と、該ニッケルメッキ被膜層の表面に形成したクロムメッキ被膜層と、該クロムメッキ被膜層の表面に形成したカラーアニオン電着塗膜層とからなる積層構造としたことを特徴とするゴルフクラブ用スチールシャフト。
【請求項２】
前記カラーアニオン電着塗膜層を１０ミクロン以下としたことを特徴とする請求項１記載のゴルフクラブ用スチールシャフト。
【考案の詳細な説明】
【技術分野】
【０００１】
本考案は、スチールシャフトに電着塗装を施したゴルフクラブ用スチールシャフトに関する。
【背景技術】
【０００２】
従来、ゴルフのスチールシャフトは、鉄パイプ素材にニッケル下地メッキとクロムメッキを施している。
しかし、外観は金属色のみでデザイン性としては単調なものとなっている。
また、メッキ被膜には微細なピンホールが素材まで貫通していることから、湿度・塩分・大気成分など使用環境によって容易に赤錆発生することから、機能的にも信頼性を欠いている。
【０００３】
一方、ゴルフクラブのヘッドに電着塗装を施すことは、特許文献１、特許文献２により知られている。
しかし、ゴルフクラブのスチールシャフトに、外観デザイン性及び防錆性を考慮した電着塗装は行われていなかった。
【先行技術文献】
【特許文献】
【０００４】
【特許文献１】特開平９−１４０３７号公報
【特許文献２】再表２００４−４８４３５号公報
【考案の概要】
【考案が解決しようとする課題】
【０００５】
本考案は、スチールシャフトに外観デザイン性及び防錆性を考慮した電着塗装が行われたゴルフクラブ用スチールシャフトを提供することを目的とする。
【課題を解決するための手段】
【０００６】
本考案のゴルフクラブ用スチールシャフトは、中空縮径のスチールパイプ本体の表面に形成したニッケルメッキ被膜層と、該ニッケルメッキ被膜層の表面に形成したクロムメッキ被膜層と、該クロムメッキ被膜層の表面に形成したカラーアニオン電着塗膜層とからなる積層構造としたものである。
前記カラーアニオン電着塗膜層を１０ミクロン以下としたものである。
【考案の効果】
【０００７】
本考案のゴルフクラブ用スチールシャフトは、中空縮径のスチールパイプ本体の表面に形成したニッケルメッキ被膜層と、該ニッケルメッキ被膜層の表面に形成したクロムメッキ被膜層と、該クロムメッキ被膜層の表面に形成したカラーアニオン電着塗膜層とからなる積層構造としたため、カラフルな金属感をもった美麗なデザイン性を施すことができ、且つピンホールが埋まり、錆に対してきわめて信頼性の高い効果を得ることができた。
【図面の簡単な説明】
【０００８】
【図１】本考案のゴルフクラブ用スチールシャフトの正面図である。
【図２】図１のＡ部分の拡大図である。
【図３】図１のＢ部分の拡大図である。
【図４】図１のＣ−Ｃ矢視拡大断面図である。
【考案を実施するための形態】
【０００９】
本考案のゴルフクラブ用スチールシャフトの一実施例を添付図面に基づいて、以下に説明する。
図１の正面図に示すように、本考案のゴルフクラブ用スチールシャフトは、高強度で高い靭性を示すと共に高弾性の中空縮径のスチールパイプ本体１からなり、該スチールパイプ本体１には全部で１６個の段部２，３が設けられている。
【００１０】
図２の拡大図に示すように、前記スチールパイプ本体１は、グリップ側に縮径の少ない２段階の段部２が形成され、図３の拡大図に示すように、ヘッド側に縮径の大きい１段階の段部３が形成されている。
この各段部２，３で縮径することにより、前記スチールパイプ本体１が徐々に縮径してその曲げ剛性がグリップ側からヘッド側に向けて徐々に低くなるようになっている。
【００１１】
図４の図１のＣ−Ｃ矢視断面図に示すように、本考案のゴルフクラブ用スチールシャフトは、中空縮径のスチールパイプ本体１の表面に形成したニッケルメッキ被膜層４と、該ニッケルメッキ被膜層４の表面に形成したクロムメッキ被膜層５と、該クロムメッキ被膜層５の表面に形成したカラーアニオン電着塗膜層６とからなる積層構造とした。
さらに、前記カラーアニオン電着塗膜層６を１０ミクロン以下とした。
【００１２】
アニオン電着塗装は、電着塗料を陰極とし、被塗物を陽極として１００Ｖ前後の直流電圧をかけると、樹脂及び顔料成分は陽極に向かって移動する。陽極に達した樹脂及び顔料成分は負電荷を失って陽極方面に塗膜を形成する。さらに電圧により脱水され９０％程度の非常に濃度の高い塗膜になり、塗膜を１８０℃で焼付けを行い硬化反応を行わせ、電着塗装後の水洗いではこの水に不溶な塗膜は被塗物に残り、単に付着している塗料のみが除去される。
【００１３】
このように、中空縮径のスチールパイプ本体１にカラーアニオン電着塗膜層６を施し、前記カラーアニオン電着塗膜層６を１０ミクロン以下としたため、カラフルな金属感をもった美麗なデザイン性を施すことができ、且つピンホールが埋まり、錆に対してきわめて信頼性の高いゴルフクラブ用スチールシャフトが形成される。
【符号の説明】
【００１４】
１  スチールパイプ本体
２  段部
３  段部
４  ニッケルメッキ被膜層
５  クロムメッキ被膜層
６  カラーアニオン電着塗膜層
【図１】
0003157018.tif 000003
【図２】
0003157018.tif 000004
【図３】
0003157018.tif 000005
【図４】
0003157018.tif 000006
(57)【要約】      （修正有）【課題】シリコン素材を使用して折りたたみコンパクトに収納でき、またザル以外にビンのフタ開けや食品のフードカバーなど、多目的に使用できるザルを提供する。【解決手段】ざるをシリコン素材でボール状に形成し、不使用時には、ボール状体の上から押さえることで容易にコンパクトなサイズになる様に、ボール状体の側面に蛇腹状に形成した折りたためる箇所１，２を設け、さらにボール状体の側面に水切り穴３を設けて構成する。【選択図】図１
0003157247.tif 000002
【実用新案登録請求の範囲】
【請求項１】
シリコン素材でボウル形状に成型した折りたたみ可能なザル。
【考案の詳細な説明】
【技術分野】
【０００１】
本考案はシリコン素材からなる折りたたみ式のザルに関する。
【背景技術】
【０００２】
従来のザルはある形状に固定されていて自由に変形させることはできなかった。折りたためるものやねじってしようできるタイプのものも無かった。
【先行技術文献】
【特許文献】
【０００３】
【特許文献１】特開２００１−１３９１０４号
【考案の開示】
【考案が解決しようとする課題】
【０００４】
本考案は、シリコン素材を使用して  1  2  折りたためるように製作した、使用しないときは  4  5  6  折りたためるのでコンパクトに収納できる、またやわらかい素材を使用しているのでザル以外にビンのフタ開けや食品のフードカバーなど、多目的に使用できる効果が楽しく便利に料理が出来る、ザルを提供することにある。
【課題を解決するための手段】
【０００５】
使用するときのザルの形状はボウル状であるが、1  2の部分で三段に折りたためる構造を特徴とする。
【考案の効果】
【０００６】
使用するサイズで固定された物が従来のザルであった、熱に強くやわらかいシリコン素材を使用したことと三段に  1  2  折りたためる形状にしたので、使用しないときには  4  5  6  コンパクトに収納できる、さらにビンのフタ開けや食品のフードカバーなど、熱消毒できるので清潔に食品調理に多目的に使用できる効果が楽しく便利、見た人にも衝撃と興味と驚きを提供する。
【図面の簡単な説明】
【０００７】
【図１】本考案のザルの使用状態を示す図。
【図２】この実施例のザルを上下方向に折りたたんだ状態を表す図。
【図３】折りたたんだ状態の上面図および側面図を表す。
【考案を実施するための形態】
【０００８】
シリコン素材でボウル状に形成され、１、２で示す部分が上から押すことで組子状に三段に折りたたまれる。３は水きり用の穴、図２の４はこのザルを折りたたんだ状態を示し、図３の５，６もザルを折りたたんだ状態であり、この折りたたんだ状態でコンパクトに収納できる。
【産業上の利用可能性】
【０００９】
本考案は料理のとき使用する、ザルとして広く適応が可能である。
【００１０】
ビンのフタ開けのときや食品のフードカバーとして電子レンジでも
加熱使用できる、熱消毒も出来るので清潔に使用可能である。
【符号の説明】
【００１１】
１  折りたためる箇所
２  折りたためる箇所
３  穴
４  ザルを折りたたんだ状態
５  折りたたんだ状態を上から表す
６  折りたたんだ所を横から表す
【図１】
0003157247.tif 000003
【図２】
0003157247.tif 000004
【図３】
0003157247.tif 000005
(57)【要約】      （修正有） 【課題】十分な硬度を有した突起部を設け、手にはめて必要な箇所だけ所望の強さで擦ることができるスリム化のために使用するミトン型ボディマッサージ具を提供する。【解決手段】ポリアミド樹脂（ナイロン樹脂）素材からなるミトン１の表面に環状の突起部分２を設けこの突起部分２の内部に小さい突起部分３を形成して凸面構造としたものや、大きな円錐状で先端に丸みのある突起の複数個とこれとは別に小さな円錐状で同じく先端に丸みのある突起の複数個とを適度な硬さに形成する。使用に当って、使用者はこれを手にはめ、所望とするからだの一部分を擦ることでその部分を摩擦で刺激して代謝を良くし、血流の流れを高めて皮下脂肪等の消費を促すことができる。【選択図】図１
0003157245.tif 000002
【実用新案登録請求の範囲】
【請求項１】
ポリアミド樹脂素材からなるミトンの表面に突起部分を多数設け、この多数の突起部分の内部に小さい突起部分をそれぞれ形成して凸面構造としたミトン型ボデイマッサージ具。
【請求項２】
ポリアミド樹脂素材からなるミトンの表面の一面に、大きな円錐状で先端に丸みのある突起の複数個を形成し、この一面とは別な一面に小さな円錐状で先端に丸みのある小さな突起を複数個形成したミトン型ボデイマッサージ具。       
【考案の詳細な説明】
【技術分野】
【０００１】
本考案はミトン型ボデイマッサージ具に関するものである。
【背景技術】
【０００２】
従来のボデイマッサージには、たわしやタオルなどの形式のものが存在していた。しかし、これらははっきりした凹凸がなく、突起部分の硬さも十分なものではなく、手にはめて必要な箇所だけ所望の強さで擦ることはできなかった。
【先行技術文献】
【特許文献】
【０００３】
【特許文献１】特開２０００−１２６０７０
【考案の開示】
【考案が解決しようとする課題】
【０００４】
本考案の目的は、ボデイマッサージの使用者、特に女性は肉付きのよい身体の一部分をスリムにしたいという要望が強くあり、スリム化に有効なマッサージ具を求めている。本考案はそのスリム化ために使用するミトン型ボデイマッサージ具を提供することにある。
【課題を解決するための手段】
【０００５】
上記の目的達成のために、ポリアミド樹脂（ナイロン樹脂）素材からなるミトンの表面に突起部分を設けこの突起部分の内部に小さい突起部分を形成して凸面構造としたものや、大きな円錐状で先端に丸みのある突起の複数個とこれとは別に小さな円錐状で同じく先端に丸みのある突起の複数個とを適度な硬さに形成した、ボデイマッサージに好適なミトン型道具を提供することにある。
【考案の効果】
【０００６】
本考案のミトン型ボデイマッサージ具は、使用者がこれを手にはめて、所望とするからだの一部分を擦ることでその部分を摩擦で刺激して代謝を良くし、血流の流れを高めて皮下脂肪等の消費を促すことでスリム化を容易に図ることができるものである。
【図面の簡単な説明】
【０００７】
【図１】ミトン型ボデイマッサージ具の表面状態を示す斜視図。
【図２】別なミトン型ボデイマッサージ具の表面状態を示す斜視図。
【図３】図１のボデイマッサージ具の要部を示す拡大図
【考案を実施するための形態】
【０００８】
以下、本考案を図面に添って説明する。  図１に示すミトン型ボデイマッサージ具は、ポリアミド樹脂（ナイロン樹脂）素材からなるミトン１表面の一面部分に、環状の突起部分２の中にこれより少し小さい突起部分３を同心円的に設けたものを多数千鳥状に形成したものである。この突起部分の素材の硬さにより、皮膚を擦る際に身体の中までマッサージ効果が浸透して身体の老廃物を含んだ水分が汗として体外に浮出る効果が高く作用する。このため身体の気になる部分を中心に、このボデイマッサージ具で擦るマッサージ運動を繰り返すことにより代謝を高めてダイエット効果が現れ、スリム化が可能になる。
【０００９】
図２は、ミトンの一面に大きな円錐状で先端に丸みのある突起４の複数個を形成し、別なミトン面に小さな円錐状で同じく先端に丸みのある突起５の複数個を形成したものである。この例の場合もその構成素材は図１同様ナイロン素材でよい。その使用方法は、擦ろうとする部分の状態に応じて大きな突起４、あるいは小さな突起５を体の一部にあてがって擦ればよく、その強さに応じて摩擦加減を調整できる。
図３は図１の一部を拡大した図であり、千鳥状の突起部分を示している。
【産業上の利用可能性】
【００１０】
従来のタオルやたわし、ブラシでは身体の中まで刺激を与えることが出来なかったが、本考案のミトン型ボデイマッサージ具では使用者の好みに応じて摩擦強度を加減でき、快適な部分ダイエット効果を期待することができるものである。
【符号の説明】
【００１１】
１  ミトン
２  環状の突起部分
３  小さい突起部分
４  円錐状で先端に丸みのある突起
５  小さな円錐状突起
【図１】
0003157245.tif 000003
【図２】
0003157245.tif 000004
【図３】
0003157245.tif 000005
(57)【要約】      （修正有）【課題】降雨時の歩行やバイク・自転車運転の際などに、脚が雨水で濡れたり、靴の中に雨水が入ることを防ぐことができるフットカバーを提供する。【解決手段】筒状のフットカバーの裾に透明ビニール製のブーメラン状の別布を縫い付ける。【選択図】図１
0003157294.tif 000002
【実用新案登録請求の範囲】
【請求項１】
雨水が靴の中に入ったり脚を濡らしたりすることを防げるように、筒状のフットカバーの裾に透明ビニールで作ったブーメラン状の別布を付けた。
【考案の詳細な説明】
【技術分野】
【０００１】本考案は、ひざ下にかかる雨水を靴の外側に誘導できるように、透明のビニール製フレアーをフットカバーの裾に付け、足が濡れたり、雨水が靴の中に入り込むのを防ぐようにしたものである。
【背景技術】
【０００２】従来は、雨水を靴の外側に誘導できる透明ビニール製のフレアーが付いたフットカバーはなかった。
【考案の概要】
【考案が解決しようとする課題】
【０００３】雨の日、レインシューズを履いていても、雨水が靴の中に入ったり、脚そのものがびしょぬれになったりすることがある。また、バイクや自転車の運転時、雨に降られて、脚が濡れたり靴の中に雨水がはいったりすることもあった。本考案は、この課題を解消するためになされたものである。
【課題を解決するための手段】
【０００４】撥水加工が施された布で作られたフットカバーの裾に、透明ビニール製の別布を縫いつけ、雨水をレインシューズの外側に導くようにした。
【考案の効果】
【０００５】雨降りの中、レインシューズだけでは足が濡れたり、雨水が靴の中に入ったりしていたが本考案のフットカバーをはくことで、雨水が靴の外側に導かれ、脚が濡れることがなくなる。また、別布が透明ビニール製のため、レインシューズにぴったりくっつき、まとわりつきにくい。布製なのでひざの関節部分がごわつかず動かしやすいため、自転車やバイク運転時には適している。
【図面の簡単な説明】
【０００６】
【図１】考案したフットカバーの側面を示した平面図である。
【図２】雨水を靴の側面に導くための透明ビニール部分を示す平面図である。
【考案を実施するための形態】
【０００７】雨水を導くための透明ビニール製の別布２はフットカバー本体の裾３に縫い付ける。別布２は［図２］のように、形はブーメラン状で、靴の甲や側面にぴったりフィットするように製図されている。
【符号の説明】
【０００８】１  フットカバー本体
２  透明ビニール製の別布
３  別布取り付け線
４  装着時の前面
５  装着時の後面
６  透明ビニール製の別布の展開図
【図１】
0003157294.tif 000003
【図２】
0003157294.tif 000004
【手続補正書】
【提出日】平成21年11月2日(2009.11.2)
【手続補正１】
【補正対象書類名】実用新案登録請求の範囲
【補正対象項目名】全文
【補正方法】変更
【補正の内容】
【実用新案登録請求の範囲】
【請求項１】
雨水が靴の中に入ったり脚を濡らしたりすることを防げるように、筒状のフットカバーの裾に透明ビニールで作ったブーメラン状の別布を付けたことを特徴とするフットカバー。
(57)【要約】      （修正有）【課題】必要とする長さのセパレーターを、定められた長さの２本のセパレーターを連結して作成することができるセパレーター継手を提供する。【解決手段】継手金具の両先端にセパレーター４を差し込み、全体として必要な長さになる様そのセパレーターを１本又は２本を移動し、セパレーターの雄ねじ６と継手金具の穴が交わる所で、釘又はそれに代わる棒状のもの７を打ち込む事により、セパレーターの雄ねじ６の部分と継手金具の雌ねじの部分がかみ合い、又、打ち込んだ釘等はセパレーターの雄ねじ６の部分へくい込む事により、必要とする強度を保つ事が出来るように構成する。【選択図】図４
0003157295.tif 000002
【実用新案登録請求の範囲】
【請求項１】
だ円形の鋼製筒に複数の穴を上部より下部まで貫通させたセパレーターの継手金具。
【請求項２】
だ円形の鋼製筒の内部に雌ねじを施し複数の穴を上部より下部まで貫通させたセパレーターの継手金具。
【考案の詳細な説明】
【考案の詳細な説明】
【技術分野】
【０００１】  本考案は、コンクリートの壁体等を構築する際に、型枠を固定して間隔を保持するセパレーターを作成する継手金具に関する。
【背景技術】
【０００２】  コンクリートで壁体等を構築する際、鋼製のセパレーターで型枠を固定して壁厚に相当する所定間隔に保持することが一般に行われている。セパレーターは両端にねじを加工した鋼棒である。【０００３】  ５はジョイントナットと呼ばれる継手金具である。４はセパレーターである。【０００４】  図２はジョイントナットと呼ばれる継手部分を分解して示す説明図、図３は組立状態の斜視図で、ジョイントナット５にセパレーター４をねじ込み、１本のセパレーターを作成している。【０００５】  この様な連結方法では、必要とする長さのセパレーターを作成する場合、定められた２本のセパレーターを連結する事しか出来ない。
【考案の開示】
【考案が解決しようとする課題】
【０００６】  本考案は、必要とする長さのセパレーターを、２本のセパレーターで連結し、作成する場合、定められない長さのセパレーターを連結し、作成する事を目的とする。
【課題を解決するための手段】
【０００７】  前記目的を達成させるため、本考案の請求項１に記載の継手金具の両先端よりセパレーター４を差し込み、必要とする長さになる様セパレーターを移動し、穴２へ釘等、棒状のものを打ち込む事に依り、作成出来る。【０００８】  また、請求項２の継手金具を使用し、上記と同様に、セパレーターを移動し、セパレーターのねじ６の部分へ、釘、等、棒状のものを打ち込む事に依り、一層、強度を増す事が出来る。
【考案の効果】
【０００９】  本考案に依り、壁厚に適しないセパレーターを連結する事で、大半のセパレーターは利用する事が出来る。
【考案を実施するための最良の形態】
【００１０】  本考案に依る、実施例を図面により説明する。
１の継手金具に両先端より、セパレーター４を差し込み必要な長さになる様、そのセパレーターを１本又は２本を移動し、セパレーターの雄ねじ６と継手金具の穴２が交わる所で釘、又はそれにカわる棒状のものを打ち込む事により、セパレーターの雄ねじ６の部分と継手金具の雌ねじ３の部分が、かみ合い、又、打ち込んだ釘、等はセパレーターの雄ねじ６の部分へ、くい込む事により、必要とする、強度を保つ事が出来る。
【図面の簡単な説明】
【００１１】
【図１】  本考案の内部に雌ねじを施した継手金具である。
【図２】  ジョイントナットで連結する前の斜視図である。
【図３】  ジョイントナットで連結した斜視図である。
【図４】  本考案の継手金具で連結する前の斜視図である。
【図５】  本考案の継手金具で連結した側面図である。
【図６】  本考案の継手金具で連結した平面図である。
【符号の説明】
【００１２】  １  継手金具
２  継手金具にあけた穴
３  継手金具に施した内部の雌ねじ
４  セパレーター
５  ジョイントナット
６  セパレーターの雄ねじ
７  釘
８  型枠
９  本体（フォームタイ）
【図１】
0003157295.tif 000003
【図２】
0003157295.tif 000004
【図３】
0003157295.tif 000005
【図４】
0003157295.tif 000006
【図５】
0003157295.tif 000007
【図６】
0003157295.tif 000008
(57)【要約】      （修正有） 【課題】必要に応じて口元または口元の一部を開閉できる衛生用マスクを提供する。【解決手段】外部からの菌や花粉の体内侵入を防ぐ衛生用マスクであって、顔の形状に合うよう折り重なる部分があり、口元にあたる折重ねの中央部分に開閉できる横長のキリコミ点線の入ったパッド部とユーザの口蓋部に保持するための耳掛けから構成され、マスクを装着したまま、口元のキリコミ点線を開閉し、マスクをはずさず話をしたり飲み物を飲むなど、必要に応じて口元だけ開けられる。【選択図】図１
0003157299.tif 000002
【実用新案登録請求の範囲】
【請求項１】
外部からの菌や花粉の体内侵入を防ぐ衛生用マスクであって、顔の形状に合うよう折り重なる部分があり、口元にあたる折重ねの中央部分に開閉できる横長のキリコミ点線の入ったパッド部とユーザの口蓋部に保持するための耳掛けから構成され、マスクを装着したまま、口元のキリコミ点線を開閉し、マスクをはずさず話をしたり飲み物を飲むなど、必要に応じて口元だけ開閉できる衛生用マスク。
【請求項２】
開閉部のキリコミ点線をジッパーテープとしたことを特徴とする請求項１に記載の衛生用マスク。
【考案の詳細な説明】
【技術分野】
【０００１】
本考案は衛生用マスクに係り、利用者の口蓋を覆う状態で装着される通気性を有する衛生用マスクであって、民生用から医療用までの幅広い用途で、人体への異物の侵入を防止するための衛生用マスクに関する。  
【背景技術】
【０００２】
一般に市販されている衛生用マスクは、大気中の細菌やウィルス、花粉などの異物が体内に侵入するのを防ぐことのみを目的としていた。
【先行技術文献】
【特許文献】
【０００３】
【特許文献１】特開２００８−２７２３７５  公報
【特許文献２】実願２００３−２７１４００  公報
【考案の概要】
【考案が解決しようとする課題】
【０００４】
マスクは異物の体内混入を防ぐ目的で装着されるが、乾燥を防ぐために飲み物でのどを潤す場合や、また装着したままの会話は相手が聞きづらいなど、マスクを装着したままでは不便が生じ、そのつどマスクをはずすかあごの下まで下げなければならず、鼻も口も露出してマスクの目的を成しえないという問題点があった。
【課題を解決するための手段】
【０００５】
上記問題を解決するために、顔の形状に合うよう折り重なる部分があり、口元にあたる折重ねの中央部分に開閉できる横長のキリコミ点線の入ったパッド部とユーザの口蓋部に保持するための耳掛けから構成されることを特徴とするマスクを提供するものである。
【考案の効果】
【０００６】
これにより、会話の場合は開閉部のキリコミ点線を開き、会話が終われば元のように折り重ねて閉じることができる。
【０００７】
また開閉部のキリコミ点線を開くことで、マスクを装着したままコップや湯飲みで飲み物を飲むことができ、またキリコミ点線の一部を開きストローを差し込んで開閉を最小限にすることもできる。
【０００８】
いずれの場合も、鼻は常にマスクを装着した状態にある。
【０００９】
以上のように、本考案のマスクによれば、必要に応じて口元、または口元の一部を開閉できると同時に、常にマスクを装着した状態を提供することができる。
【図面の簡単な説明】
【００１０】
【図１】本考案衛生用マスクの外観図である。
【図２】本考案衛生用マスクの装着図である。
【図３】本考案衛生用マスクの使用状態を示す参考写真である。
【考案を実施するための形態】
【００１１】
以下、図面に基づいて説明する。
【実施例１】
【００１２】
図１はマスクは鼻から口元を覆うための布状物本体１と、両側に口蓋部に保持するための耳掛け４から構成され、本体１には顔の形状に合うよう折り重なる部分２があり、折り重なる部分２の口元にあたる部分には、中央から横長に開閉部のキリコミ点線３が設けてある。マスク本体１の上部には、マスクを鼻に固定させるための形状記憶物の入った５がある。
【００１３】
本体１を構成する布状物は、ガーゼ、不織布など一般に使用されているものでよい。
【符号の説明】
【００１４】
１  マスク本体
２  折り重なる部分
３  開閉部のキリコミ
４  耳かけ
５  鼻に固定させる部分
【図１】
0003157299.tif 000003
【図２】
0003157299.tif 000004
【図３】
0003157299.tif 000005
【手続補正書】
【提出日】平成21年11月20日(2009.11.20)
【手続補正１】
【補正対象書類名】明細書
【補正対象項目名】００１０
【補正方法】削除
【補正の内容】
【手続補正２】
【補正対象書類名】図面
【補正対象項目名】図３
【補正方法】削除
【補正の内容】
【手続補正書】
【提出日】平成21年12月21日(2009.12.21)
【手続補正１】
【補正対象書類名】手続補正書
【補正対象項目名】手続補正１
【補正方法】変更
【補正の内容】
【手続補正１】
【補正対象書類名】明細書
【補正対象項目名】００１０
【補正方法】変更
【補正の内容】
【００１０】
【図１】本考案衛生用マスクの外観図である。
【図２】本考案衛生用マスクの装着図である。